(57)【要約】【課題】日常生活環境のなかにおいて、良好なマイナスイオンの放出を行うマイナスイオン発生器を提供する。【解決手段】外形が外殻部材２で形成され、この外殻部材２の内部に設けた収容空間３内にマイナスイオン発生物質４が収容されたマイナスイオン発生器１であって、上記外殻部材２の主要部はチタンを用いて製作されているとともに、上記外殻部材２の収容空間３は外殻部材２の外部空間と連通性のない密封空間とされ、上記マイナスイオン発生物質４からのマイナスイオンが放出される。このように日常生活においてたえず接触するマイナスイオン発生器にマイナスイオンの発生機能を持たせたので、人体に放出されるマイナスイオンにより、良好な健康状態が維持できる。また、マイナスイオン発生物質４は密封空間に収容されているので、マイナスイオン発生機能が正常に発揮できる。【選択図】図１
2004119170.tif 000002
【特許請求の範囲】
【請求項１】
外形が外殻部材で形成され、この外殻部材の内部に設けた収容空間内にマイナスイオン発生物質が収容されたマイナスイオン発生器であって、上記外殻部材の主要部はチタンを用いて製作されているとともに、上記外殻部材の収容空間は外殻部材の外部空間と連通性のない密封空間とされ、上記マイナスイオン発生物質からのマイナスイオンが放出されることを特徴とするマイナスイオン発生器。
【請求項２】
上記外殻部材が、室内用品の一部を形成するようにした請求項１記載のマイナスイオン発生器。
【請求項３】
上記外殻部材が、上下方向および／または左右方向に往復動作をするように支持されているとともに、上記往復動作によりマイナスイオン発生物質が収容空間内で移動できるように構成されている請求項１または２記載のマイナスイオン発生器。
【請求項４】
上記外殻部材が、炊飯器中に投入できる形状とされている請求項１記載のマイナスイオン発生器。
【請求項５】
上記外殻部材が、飲料水中に投入できる形状とされている請求項１記載のマイナスイオン発生器。
【請求項６】
上記外殻部材が、浴槽内に投入できる形状とされている請求項１記載のマイナスイオン発生器。
【請求項７】
上記外殻部材が、ドアーのノブやハンドルを構成している請求項１記載のマイナスイオン発生器。
【請求項８】
上記外殻部材が、各種の手すりや乗り物のアシストグリップ等を構成している請求項１記載のマイナスイオン発生器。
【請求項９】
上記収容空間内のマイナスイオン発生物質の量は、マイナスイオン発生物質が収容空間内で移動できるように設定されている請求項１〜８のいずれか一項に記載のマイナスイオン発生器。
【請求項１０】
上記マイナスイオン発生物質が炭素材である請求項１〜９のいずれか一項に記載のマイナスイオン発生器。
【発明の詳細な説明】
【０００１】
【発明の属する技術分野】
本発明は、マイナスイオン発生物質が収容されたマイナスイオン発生器に関するものである。
【０００２】
【従来の技術】
本発明に関連の深い従来技術として、下記の特許文献１と特許文献２があげられる。特許文献１には、多数の通気穴を有するドアーのノブの中に樟脳，活性炭，シリカゲル等の機能性物質が収容され、殺菌，水分の吸収，悪臭の吸着等の機能を果たすことが開示されている。また、特許文献２には、透孔を有するプラスチック容器内にイオン化処理された硬質の炭素材が収容され、上記プラスチック容器から放出される負イオンを人体に有効に作用させることが開示されている。
【０００３】
【特許文献１】
特開平５−３３５３３号公報
【特許文献２】
特公平７−２３２０６号公報
【０００４】
【発明が解決しようとする課題】
しかしながら、特許文献１および２のいずれにおいても、ドア−のノブに多数の通気穴が形成されたり、プラスチック容器に透孔が形成されたりしているので、内部に収容された機能性物質や硬質の活性炭等が外部に漏れるおそれがあり、もし、漏れた場合には人手やノブ等の周囲を汚すことになる。また、このように通気穴や透孔があると、機能性物質や硬質の活性炭が外気や水分に直接接触するので、機能性物質の本来の機能やマイナスイオンの発生が低下するおそれがある。さらに、上記特許文献に記載された技術においては、ノブやプラスチック容器の構成材料の選定に関する配慮が十分につくされていない。
【０００５】
本発明は、このような事情に鑑みなされたもので、日常生活環境のなかにおいて、良好なマイナスイオンの放出を行うマイナスイオン発生器の提供を目的とする。
【０００６】
【課題を解決するための手段】
上記目的を達成するため、本発明のマイナスイオン発生器は、外形が外殻部材で形成され、この外殻部材の内部に設けた収容空間内にマイナスイオン発生物質が収容されたマイナスイオン発生器であって、上記外殻部材の主要部はチタンを用いて製作されているとともに、上記外殻部材の収容空間は外殻部材の外部空間と連通性のない密封空間とされ、上記マイナスイオン発生物質からのマイナスイオンが放出されることを要旨とする。
【０００７】
すなわち、本発明のマイナスイオン発生器は、上記外殻部材の主要部はチタンを用いて製作されているとともに、上記外殻部材の収容空間は外殻部材の外部空間と連通性のない密封空間とされ、上記マイナスイオン発生物質からのマイナスイオンが放出されるのである。
【０００８】
上記のように、密封空間とされた収容空間にマイナスイオン発生物質が収容されているので、マイナスイオン発生物質が外部に漏洩することが確実に防止できる。また、マイナスイオン発生物質は、外部の空気や水等の流体に直接接触することがないので、マイナスイオン発生物質のマイナスイオン発生機能が低下するおそれがなく、長期にわたって当該物質を機能させることができる。
【０００９】
本発明のマイナスイオン発生器において、上記外殻部材が、室内用品の一部を形成するようにした場合には、マイナスイオン発生器が置物や装飾品あるいは本立て等の一部を形成するので、室内の身近な箇所からマイナスイオンが放出され、人体がマイナスイオンを受けやすい状態になり、健康状態を良好に保つのに非常に有効である。
【００１０】
本発明のマイナスイオン発生器において、上記外殻部材が、上下方向および／または左右方向に往復動作をするように支持されているとともに、上記往復動作によりマイナスイオン発生物質が収容空間内で移動できるように構成されている場合には、上記往復動作によりマイナスイオン発生物質が収容空間内で強制的に移動するので、マイナスイオン発生物質が振動をうけた状態になって、同発生物質同士が摩擦現象を呈し、マイナスイオンの放出量が増大する。したがって、人体がうけるマイナスイオンの量が一層多くなり、健康状態を良好に保つのに非常に有効である。
【００１１】
本発明のマイナスイオン発生器において、上記外殻部材が、炊飯器中に投入できる形状とされている場合には、この外殻部材を炊飯器にいれて炊飯をすることにより、ご飯のなかにマイナスイオンが豊富に放出されるので、健康状態の向上にとって良好なご飯がたべられる。そして、炊飯器内に対流現象があるあいだには、上記外殻部材が種々な方向に移動させられるので、内部のマイナスイオン発生物質が強制的に移動させられて、マイナスイオン発生物質同士が摩擦現象を呈し、マイナスイオンの放出量が増大する。また、マイナスイオンによってご飯中の不純物が消去されるので、ご飯の味が著しく向上する。
【００１２】
本発明のマイナスイオン発生器において、上記外殻部材が、飲料水中に投入できる形状とされている場合には、この外殻部材を飲料水容器にいれることにより、飲料水のなかにマイナスイオンが豊富に放出されるので、健康状態の向上にとって良好な飲料水を飲むことができる。また、マイナスイオンによって飲料水中の不純物が消去されるので、飲料水の味が著しく向上する。
【００１３】
本発明のマイナスイオン発生器において、上記外殻部材が、浴槽内に投入できる形状とされている場合には、リラックスして入浴しているときにマイナスイオンが人体に放出されるので、入浴効果に相乗してマイナスイオンが良好な状態で人体に作用し、疲労回復や健康増進にとって非常に好適である。
【００１４】
本発明のマイナスイオン発生器において、上記外殻部材が、ドアーのノブやハンドルを構成している場合には、上記ドアーのノブやハンドルは日常生活において接触する頻度が著しく高いので、人体がうけるマイナスイオンの量が多くなり、健康状態を良好に保つのに非常に有効である。
【００１５】
本発明のマイナスイオン発生器において、上記外殻部材が、各種の手すりや乗り物のアシストグリップ等を構成している場合には、人の多い場所においてマイナスイオンが放出されるので、多数の人々の健康状態を良好に保つのに非常に有効である。また、乗り物、例えば、電車や自動車のアシストグリップのような場合には、走行中の振動でマイナスイオン発生物質が強制的に撹拌されたような挙動を呈するので、同発生物質同士が摩擦現象を呈し、このときにマイナスイオンの放出量が増大する。したがって、人体がうけるマイナスイオンの量が一層多くなり、健康状態を良好に保つのに非常に有効である。
【００１６】
本発明のマイナスイオン発生器において、上記収容空間内のマイナスイオン発生物質の量が、マイナスイオン発生物質が収容空間内で移動できるように設定されている場合には、上記外殻部材を揺すると収容空間内のマイナスイオン発生物質が移動し、同発生物質同士が衝突したり外殻部材の内壁に衝突したりして、同発生物質に衝撃が付与される現象となる。このような現象と同時にマイナスイオン発生物質同士が摩擦現象を呈する。マイナスイオン発生物質がこのような衝撃をうけたり摩擦現象を呈したりすることにより、マイナスイオンが活発に放出される。したがって、炊飯器に入れる前等に外殻部材を手でもって揺すったり、上下方向および／または左右方向に往復動作ができるように支持されていたりすることにより、マイナスイオンを積極的に放出させることが可能となる。
【００１７】
本発明のマイナスイオン発生器において、上記マイナスイオン発生物質が炭素材である場合には、炭素材が良好なマイナスイオンの発生特性を呈するので、人体がうけるマイナスイオンの量が一層多くなり、健康状態を良好に保つのに非常に有効である。
【００１８】
【発明の実施の形態】
つぎに、本発明の実施の形態を詳しく説明する。
【００１９】
図１は、本発明のマイナスイオン発生器の一実施の形態を示す。図１に示すマイナスイオン発生器１は基本的な形態のもので、外殻部材２により直方体の外形とされている。この外殻部材２はチタン製の板材を溶接して直方体の形状にしてあり、その内部の収容空間３にはマイナスイオン発生物質である炭素材４が収容されている。
【００２０】
上記炭素材４は、マイナスイオンの発生量が多いとされている硬質の活性炭が好適であり、「くぬぎ」や「うばめがし」を原木とした備長炭が最適である。あるいは、このような備長炭や竹炭にマイナスイオン発生器等により負イオン化充電を行った炭素材４を用いてもよい。外殻部材２のある面を開放させる等して開口部を設け、ここから適当な大きさの片状もしくは粒状にした炭素材４を収容空間３のなかに多数充填した後、上記開口部を最終的に溶接で密封してある。上記のようにして溶接することにより、外殻部材２の収容空間３は外殻部材２の外部空間と連通性のない密封空間とされる。
【００２１】
上記のように、密封空間とされた収容空間３に炭素材４が収容されているので、炭素材４が外部に漏洩することが確実に防止できる。また、炭素材４は、外部の空気や水等の流体に直接接触することがないので、炭素材４のマイナスイオン発生機能が低下するおそれがなく、長期にわたってマイナスイオン発生物質として機能させることができる。
【００２２】
上記収容空間３内の炭素材４の量が、炭素材４が収容空間３内で移動できるように設定されている。こうすることにより、上記外殻部材２を揺すると収容空間３内の炭素材４が移動し、炭素材４同士が衝突したり外殻部材２の内壁に衝突したりして、炭素材４に衝撃が付与される現象となる。このような現象と同時に炭素材４同士が摩擦現象を呈する。炭素材４がこのような衝撃をうけたり摩擦現象を呈したりすることにより、マイナスイオンが活発に放出される。したがって、炊飯器に入れる前等に外殻部材２を手でもって揺すったり、上下方向および／または左右方向に往復動作ができるように支持されていたりすることにより、マイナスイオンを積極的に放出させることが可能となる。
【００２３】
図２は、本発明のマイナスイオン発生器の第２の実施の形態を示す。これは、図１に示した基本的な形態のマイナスイオン発生器１を略そのまま活用した場合のもので、マイナスイオン発生器１を基台５とし、その上に写真立て６とペンシル７を支持するソケット８を配置したものである。それ以外は、上記実施の形態と同様であり、同様の部分には同じ符号を付している。
【００２４】
したがって、このような室内用品を書斎の机に置いたりして、身近な箇所から放出されるマイナスイオンを人体がうけることとなり、健康状態を良好に保つのに非常に有効である。それ以外は、上記実施の形態と同様の作用効果を奏する。
【００２５】
図３は、本発明のマイナスイオン発生器の第３の実施の形態を示す。これは、室内用品の１つである布や綿でできたマスコット人形（２点鎖線で図示してある）９の内部にマイナスイオン発生器１を格納し、コイルスプリング１０の一端を外殻部材２に結合し、他端を基台１１に結合したものである。そして、マスコット人形９を軽く叩いてコイルスプリング１０を伸縮させたときに、収容空間３内の炭素材４が適度に移動できるようにしてある。そのために、収容空間３内に入れる炭素材４の量は、収容空間３の容積を下回るように設定されている。炭素材４の量は、例えば、収容空間３の容積の８０〜９０％が適当である。なお、この炭素材４の収容量は、マイナスイオン発生器１に付与される振動の強さや外殻部材２の大きさ等により、適宜、変更されるものである。それ以外は、上記各実施の形態と同様であり、同様の部分には同じ符号を付している。
【００２６】
上記コイルスプリング１０による往復動作で炭素材４が収容空間３内で強制的に移動するので、炭素材４が振動をうけた状態になって、炭素材４同士が摩擦現象を呈し、マイナスイオンの放出量が増大する。したがって、人体がうけるマイナスイオンの量が一層多くなり、健康状態を良好に保つのに非常に有効である。さらに、炭素材４よりも比重の大きな材料、例えば、鉄でつくられている粒子を炭素材４に混入した場合には、マイナスイオン発生器１を上下方向または／および左右方向に往復させたときに上記粒子が炭素材４内を種々な方向に移動するため、炭素材４が撹拌されるようにして活発に移動させられて、マイナスイオン放出が一層増大する。また、上記粒子の表面を適度にぎざぎざにしておくことにより、炭素材４の移動をより一層促進させることができる。それ以外は、上記各実施の形態と同様の作用効果を奏する。
【００２７】
図４は、本発明のマイナスイオン発生器の第４の実施の形態を示す。これは、ドアーが開閉されたことを伝えるカウベル（Ｃｏｗ　ｂｅｌｌ）形の鈴の場合である。ドアー１２の室内側の面に略逆Ｕ字型の板ばね１３の一端を結合し、他端にマイナスイオン発生器１が結合されている。このマイナスイオン発生器１の下側にカウベル形の鈴１４が結合されている。それ以外は、上記各実施の形態と同様であり、同様の部分には同じ符号を付している。
【００２８】
上記構成において、ドアー１２が開閉されると、板ばね１３の往復撓み動作でマイナスイオン発生器１と鈴１４は一体になって揺動し、ドアー１２が開かれたことを鈴１４の音で知らせるとともに、マイナスイオン発生器１内の炭素材４が移動する。このようにして、炭素材４が収容空間３内で強制的に移動するので、炭素材４が振動をうけた状態になって、炭素材４同士が摩擦現象を呈し、マイナスイオンの放出量が増大する。したがって、人体がうけるマイナスイオンの量が一層多くなり、健康状態を良好に保つのに非常に有効である。とくに、開閉回数の多い玄関のドアー１２のような場合には、マイナスイオン発生器１の揺動頻度が著しく高くなるので、マイナスイオンの増量にとって好適である。それ以外は、上記各実施の形態と同様の作用効果を奏する。
【００２９】
図１１は、上記のような密封構造のマイナスイオン発生器１から放出されるマイナスイオンの放出量を、イオンテスターで測定した結果を示している。これは、上述のマイナスイオン発生器１がほとんど動かない弱振動の領域では、１ｃｃの空間中に約５０個のマイナスイオンが放出され、ドアー１２を開ける時の急加速状態やドアー１２がバタンと閉じたときの急減速状態すなわち強振動の領域では、１ｃｃの空間中に約１８０個のマイナスイオンが放出されることが認められる。このようなドアー開閉の急加速や急減速により、内部の炭素材４が強制的に撹拌されたような挙動を呈し、炭素材４同士が摩擦現象をおこして、このときにマイナスイオンの放出量が増大する。したがって、人体がうけるマイナスイオンの量が一層多くなり、健康状態を良好に保つのに非常に有効である。
【００３０】
図５は、本発明のマイナスイオン発生器の第５の実施の形態を示す。これは、炊飯器，飲料水容器，浴槽等に適したマイナスイオン発生器の場合である。
【００３１】
図５（Ａ）は、外殻部材２が円形の偏平な容器状の形状とされている。（Ｂ）は、外殻部材２が四角い偏平な容器状のものをねじった形状とされている。（Ｃ）は、外殻部材２が球形であり、外周面にフィン１５が取付けられている。（Ｄ）は、外殻部材２がローラ型とされている。上記（Ａ）から（Ｄ）のものは、いずれも炊飯器，飲料水容器，浴槽等において沈むように比重が設定されている。比重の設定は、内部の炭素材４を比重の大きなものを用いたり、上記粒子の比重を大きくしたり、あるいは外殻部材２にウエイトを付加すること等により行える。それ以外は、上記各実施の形態と同様であり、同様の部分には同じ符号を付している。
【００３２】
マイナスイオンの発生状態は、酸化還元電位を測定（白金電極法を用いた）することにより把握することができる。上記の炊飯器，飲料水容器，浴槽等のような場合においては、上記３者のお湯や水の酸化還元電位が＋５５０ｍＶであり、普通の水道水の当該電位＋６００〜７００ｍＶに比べると、上記３者のマイナスイオンが大幅に増量していることが認められる。
【００３３】
マイナスイオン発生器１を炊飯器に入れる場合は、図５（Ｂ）や（Ｃ）のものが適している。炊飯器内での対流や沸騰したときの水蒸気の泡によって上下に移動する際にねじり形状やフィン１５により、種々な方向に向きを変えながら移動するので、内部の炭素材４も種々な方向に活発に移動させられて、マイナスイオンの発生量が増大する。このようにして、ご飯のなかにマイナスイオンが豊富に放出されるので、健康状態の向上にとって良好なご飯がたべられる。また、マイナスイオンによってご飯中の不純物が消去されるので、ご飯の味が著しく向上する。それ以外は、上記各実施の形態と同様の作用効果を奏する。
【００３４】
マイナスイオン発生器１を飲料水容器に入れる場合には、飲料水容器の底部での転動性がよいもの、すなわち図５（Ｄ）や図示していないが球形のものが適している。飲料水容器を冷蔵庫から取出したり持ち運んだりするときに、上記形状のマイナスイオン発生器１が飲料水容器内でより多く転動し、飲料水のなかにマイナスイオンが豊富に放出され、健康状態の向上にとって良好な飲料水を飲むことができる。また、マイナスイオンによって飲料水中の不純物が消去されるので、飲料水の味が著しく向上する。それ以外は、上記各実施の形態と同様の作用効果を奏する。
【００３５】
マイナスイオン発生器１を浴槽に入れる場合には、図５（Ａ）や図１のような形状のものが適している。浴槽中に沈むことにより、マイナスイオンが浴槽底部から浴槽の全域に放出されるので、リラックスして入浴しているときにマイナスイオンが人体に供給されるので、入浴効果に相乗してマイナスイオンが良好な状態で人体に作用し、疲労回復や健康増進にとって非常に好適である。それ以外は、上記各実施の形態と同様の作用効果を奏する。
【００３６】
図６は、本発明のマイナスイオン発生器の第６の実施の形態を示す。これは、マイナスイオン発生器１がドアーのノブの場合である。ドアー１６は、図６の紙面に対して垂直方向に延びているヒンジ軸線１７を中心にして開閉する。ノブ１８は、外形が外殻部材２で形成されており、この外殻部材２は、断面円形のテーパ型のカップ状の筒部１９とその開放部を密封する平板状の端蓋２０で構成されている。カップ状の筒部１９の底部に軸２１が結合されていて、ノブ１８を回すとその回転変位が軸２１からロック金具２２に伝えられて、同金具２２が進退するようになっている。
【００３７】
上記外殻部材２すなわち筒部１９および端蓋２０は、いずれもチタンで製作されている。外殻部材２の内部には収容空間３が設けられ、そのなかに炭素材４が収容されている。炭素材４を適当な大きさの片状にして収容空間３のなかに充填した後、端蓋２０を溶接し図示のように丸みのある研磨とバフ仕上げが施されている。符号２３は、溶接部を示している。それ以外は、上記各実施の形態と同様であり、同様の部分には同じ符号を付している。
【００３８】
上記ドアー１６のノブ１８は日常生活において接触する頻度が著しく高いので、人体がうけるマイナスイオンの量が多くなり、健康状態を良好に保つのに非常に有効である。それ以外は、上記各実施の形態と同様の作用効果を奏する。
【００３９】
図７は、本発明のマイナスイオン発生器の第７の実施の形態を示す。これは、図６と同様なドアーの開閉用のハンドルをマイナスイオン発生器１で構成した場合である。図７（Ａ）はドアー２４を正面からみた部分的な正面図であり、ヒンジ軸線１７を中心にして開閉する。
【００４０】
開閉用のハンドル２５は、チタンで製作された外殻部材２を有し、この外殻部材２は、断面円形の真直ぐな筒部２６とその開放部を密封する平板状の端蓋２７で構成されている。筒部２６と端蓋２７との溶着や表面仕上げは、上記ノブ１８の場合と同じである。筒部２６の上下にはアーム２８がそれぞれ結合され、筒部２６を引張るとアーム２８が回動してロック金具（図示していない）を動作させるようになっている。そのために、図７（Ｂ）に示すようにアーム２８の回動軸２９が配置してある。
【００４１】
上記筒部２６内には炭素材４が収容されているのであるが、収容空間３が上下方向に細長い空間になっているので、所々に区画部材３０が配置してある。この区画部材３０は有底の筒型をしたカップ状のもので、プラスチックで成形され、外周部には多数の透孔３１があけられている。この区画部材３０に炭素材４を充填し筒部２６の上から順次挿入して、炭素材４を層状に配置し、最後に端蓋２７が溶接される。それ以外は、上記各実施の形態と同様であり、同様の部分には同じ符号を付している。
【００４２】
このような長尺なハンドル２５の表面全域からマイナスイオンが放出されるので、その放出量が十分な量となり、人体がうけるマイナスイオンの量が一層多くなり、健康状態を良好に保つのに非常に有効である。また、区画部材３０を採用することにより、炭素材４が沈下してきてもハンドル２５の長さ全域におけるマイナスイオンの放出が損なわれることがない。それ以外は、上記各実施の形態と同様の作用効果を奏する。
【００４３】
なお、この実施の形態において、筒部２６内に大きな棒状の炭素材４を封入するような場合には、上記区画部材３０を止めることも可能である。また、アーム２８をチタンでつくり、その内部に炭素材４を封入することも可能である。
【００４４】
図８は、本発明のマイナスイオン発生器の第８の実施の形態を示す。これは、階段の手すりに本発明を適用した場合である。階段３２の手すり３３を形成する外殻部材２は、チタン製のパイプ材３４でつくられており、そのなかの収容空間３に炭素材４が充填されている。また、図８（Ｃ）は、手すり３３の全域に炭素材４を収容するのではなく、パイプ材３４内にしきり板３５を所定区間ごとに配置し、炭素材４を一定間隔で配置したものである。それ以外は、上記各実施の形態と同様であり、同様の部分には同じ符号を付している。
【００４５】
階段のように大勢の人々が利用する場所においてマイナスイオンが放出されるので、多数の人々の健康状態を良好に保つのに非常に有効である。それ以外は、上記各実施の形態と同様の作用効果を奏する。
【００４６】
図９は、本発明のマイナスイオン発生器の第９の実施の形態を示す。これは、電車のアシストグリップに本発明を適用した場合である。乗降口の開閉ドアー３６が車両の側壁３７内に進退して開閉するようになっている。アシストグリップ３８は側壁３７の内面に固定されており、このアシストグリップ３８がチタン製のパイプ材でつくられており、その内部に炭素材４が充填されている。それ以外は、上記各実施の形態と同様であり、同様の部分には同じ符号を付している。
【００４７】
電車のように大勢の人々が利用する場所においてマイナスイオンが放出されるので、多数の人々の健康状態を良好に保つのに非常に有効である。また、走行中の振動で炭素材４が強制的に移動させられるので、炭素材４同士が摩擦現象を呈して、このときにマイナスイオンの放出量が増大する。したがって、人体がうけるマイナスイオンの量が一層多くなり、健康状態を良好に保つのに非常に有効である。それ以外は、上記各実施の形態と同様の作用効果を奏する。
【００４８】
なお、この実施の形態においても、図７（Ｃ）に示したような区画部材３０を採用すると、走行振動をうけても炭素材４の配置分布を良好に保つことができる。さらに、自動車の室内に配置されたアシストグリップに本発明を適用することもできる。また、電車の吊り革のリング内に炭素材を収容することも可能である。
【００４９】
図１０は、本発明のマイナスイオン発生器の第１０の実施の形態を示す。これは、浴槽３９の内壁に取付けたアシストグリップ４０の場合であり、その内部構造は図７（Ｃ）や図９に示したものと同様である。それ以外は、上記各実施の形態と同様であり、同様の部分には同じ符号を付している。
【００５０】
このようにリラックスした状態の入浴中にマイナスイオンの放出がうけられるので、疲労回復や健康状態を良好に保つのに非常に有効である。マイナスイオンの発生状態は、酸化還元電位を測定（白金電極法を用いた）することにより把握することができる。図１０のような浴槽の場合においては、浴槽中のお湯の酸化還元電位が＋５５０ｍＶであり、普通の水道水の当該電位＋６００〜７００ｍＶに比べると、浴中のマイナスイオンが大幅に増量していることが認められる。それ以外は、上記各実施の形態と同様の作用効果を奏する。
【００５１】
上記第１０の実施の形態において、アシストグリップ４０を浴槽の内壁に取り付ける部分に、可動機構を採用することが望ましい。この可動機構としてはいろいろな形式のものが採用できるが、その一例としては、アシストグリップ４０の端部に同グリップ４０の長手方向に沿った枢軸を設け、この枢軸を中心にしてアシストグリップ４０全体が、例えば、３０度の角度範囲で揺動できる構造とする。あるいは、アシストグリップ４０の端部にゴムのような弾性部材を配置して、上記の場合と同様な揺動を行わせる構造とする。上記のような可動構造により、入浴している人が浴槽に出入するときや入浴中にアシストグリップ４０を揺動させると、内部の炭素材４が強制的に移動させられるので、炭素材４同士が摩擦現象を呈して、このときにマイナスイオンの放出量が増大する。したがって、人体がうけるマイナスイオンの量が一層多くなり、疲労回復や健康状態を良好に保つのに非常に有効なものとなる。
【００５２】
なお、上記の実施の形態においては、本発明を種々な日用品に適用し、そのなかで各種の把手に適用した場合も記載している。この把手に関しては、実施の形態に示したもの以外に、机やたんす等の家具の引出しや扉に取付けた把手、あるいは各種電化製品、例えば、冷蔵庫の把手を対象にして、本発明を実施することもできる。
【００５３】
また、上述の実施の形態においては、マイナスイオン発生物質として炭素材を用いているが、マイナスイオン発生機能のある物質であれば、適宜、他の物質におきかえることが可能であり、例えば、トルマリンを使用することもできる。
【００５４】
さらに、上記各実施の形態は、外殻部材２全体がチタンで構成されているものであるが、マイナスイオンを放出させる主要部の箇所だけをチタンで製作し、他の箇所を別の材料で構成することもできる。こうすることにより、原価の低減等が行えるのである。
【００５５】
【発明の効果】
上記のように、本発明のマイナスイオン発生器によれば、密封空間とされた収容空間にマイナスイオン発生物質が収容されているので、マイナスイオン発生物質が外部に漏洩することが確実に防止できる。また、マイナスイオン発生物質は、外部の空気や水等の流体に直接接触することがないので、マイナスイオン発生物質のマイナスイオン発生機能が低下するおそれがなく、長期にわたって当該物質を機能させることができる。
【図面の簡単な説明】
【図１】本発明の一実施の形態のマイナスイオン発生器を示す斜視図である。
【図２】第２の実施の形態であり、マイナスイオン発生器を用いたペン立ての側面図である。
【図３】第３の実施の形態であり、マイナスイオン発生器を用いたマスコット人形の正面図である。
【図４】第４の実施の形態であり、マイナスイオン発生器を用いたカウベル型の鈴の側面図である。
【図５】第５の実施の形態であり、マイナスイオン発生器の変形例を示す図である。
【図６】第６の実施の形態であり、マイナスイオン発生器を用いたドアーのノブの断面図である。
【図７】第７の実施の形態であり、（Ａ）ドアーの部分的な正面図、（Ｂ）は（Ａ）の〔Ｂ〕−〔Ｂ〕断面図、（Ｃ）はハンドルの断面図である。
【図８】第８の実施の形態であり、（Ａ）は階段の全体図、（Ｂ）は手すりの断面図，（Ｃ）は変形例の断面図である。
【図９】第９の実施の形態であり、電車のアシストグリップを示す斜視図である。
【図１０】第１０の実施の形態であり、浴槽のアシストグリップを示す斜視図である。
【図１１】マイナスイオンの発生状態を示す線図である。
【符号の説明】
１　　　マイナスイオン発生器
２　　　外殻部材
３　　　収容空間
４　　　炭素材
５　　　基台
６　　　写真立て
７　　　ペンシル
８　　　ソケット
９　　　マスコット人形
１０　　コイルスプリング
１１　　基台
１２　　ドアー
１３　　板ばね
１４　　鈴
１５　　フィン
１６　　ドアー
１７　　ヒンジ軸線
１８　　ノブ
１９　　筒部
２０　　端蓋
２１　　軸
２２　　ロック金具
２３　　溶接部
２４　　ドアー
２５　　ハンドル
２６　　筒部
２７　　端蓋
２８　　アーム
２９　　回動軸
３０　　区画部材
３１　　透孔
３２　　階段
３３　　手すり
３４　　パイプ材
３５　　しきり板
３６　　開閉ドアー
３７　　側壁
３８　　アシストグリップ
３９　　浴槽
４０　　アシストグリップ
【図１】
2004119170.tif 000003
【図２】
2004119170.tif 000004
【図３】
2004119170.tif 000005
【図４】
2004119170.tif 000006
【図５】
2004119170.tif 000007
【図６】
2004119170.tif 000008
【図７】
2004119170.tif 000009
【図８】
2004119170.tif 000010
【図９】
2004119170.tif 000011
【図１０】
2004119170.tif 000012
【図１１】
2004119170.tif 000013